(57)【要約】  【課題】  ホストコンピュータからの要求に応じてＤＶＤ−Ｖｉｄｅｏディスクの回転速度を制御する。  【解決手段】  装着した情報記録光ディスクがＤＶＤ−Ｖｉｄｅｏディスクの場合、ホストコンピュータからの情報読み出しコマンドのパラメータに基づき、パラメータが前記ＤＶＤ−Ｖｉｄｅｏディスクに記録のＤＶＤ−Ｖｉｄｅｏ情報を映像用としてホストコンピュータに転送するパラメータであるときは、ＤＶＤ−Ｖｉｄｅｏディスクを予め定めた低速で回転させ、パラメータが前記ＤＶＤ−Ｖｉｄｅｏディスクに記録のＤＶＤ−Ｖｉｄｅｏ情報をデータ用としてホストコンピュータに転送するパラメータであるときは、ＤＶＤ−Ｖｉｄｅｏディスクを予め定めた高速で回転させる（２０１〜２０４）。【選択図】  図２
2005149686.tif 000002
【特許請求の範囲】
【請求項１】
装着した情報記録光ディスクがＤＶＤ−Ｖｉｄｅｏディスクの場合、ホストコンピュータからの情報読み出しコマンドのパラメータに基づき、該パラメータが前記ＤＶＤ−Ｖｉｄｅｏディスクに記録のＤＶＤ−Ｖｉｄｅｏ情報を映像用として前記ホストコンピュータに転送するパラメータであるときは、前記ＤＶＤ−Ｖｉｄｅｏディスクを予め定めた低速で回転させ、前記パラメータが前記ＤＶＤ−Ｖｉｄｅｏディスクに記録のＤＶＤ−Ｖｉｄｅｏ情報をデータ用として前記ホストコンピュータに転送するパラメータであるときは、前記ＤＶＤ−Ｖｉｄｅｏディスクを予め定めた高速で回転させることを特徴とする情報記録光ディスク再生装置の制御方法。
【請求項２】
装着した情報記録光ディスクからの読み出し情報をエラー訂正できなかった場合で、前記情報記録光ディスクがＤＶＤ−Ｖｉｄｅｏディスクの場合、ホストコンピュータからの情報読み出しコマンドのパラメータに基づき、該パラメータが前記読み出し情報にエラーがあっても前記ホストコンピュータに転送するパラメータであるときは、前記エラー訂正できなかった前記読み出し情報を前記ホストコンピュータに転送し、該パラメータが前記読み出し情報にエラーがあったときに前記ホストコンピュータに転送不可のパラメータであるときは、前記エラー訂正できなかった前記読み出し情報を前記ホストコンピュータに転送しないことを特徴とする情報記録光ディスク再生装置の制御方法。
【請求項３】
請求項１記載の情報記録光ディスク再生装置の制御方法で前記ＤＶＤ−Ｖｉｄｅｏディスクを回転させ、前記情報記録光ディスクに記録されている情報を読み出し、読み出した情報のうちのＤＶＤ−Ｖｉｄｅｏ情報をエラー検出およびエラー訂正を行い、エラー訂正できたか否かを判定し、次に請求項２記載の情報記録光ディスク再生装置の制御方法でエラーできなかった前記ＤＶＤ−Ｖｉｄｅｏ情報の前記ホストコンピュータへの処理をすることを特徴とする情報記録光ディスク再生装置の制御方法。
【請求項４】
装着した情報記録光ディスクがＤＶＤ−Ｖｉｄｅｏディスクであることをマイクロプロセッサが判定した後、ホストコンピュータからの情報読み出しコマンドのパラメータを前記マイクロプロセッサで判定し、該パラメータが前記ＤＶＤ−Ｖｉｄｅｏディスクに記録のＤＶＤ−Ｖｉｄｅｏ情報を映像用として前記ホストコンピュータに転送するパラメータであるときは、前記マイクロプロセッサは再生速度制御部に指示して前記ＤＶＤ−Ｖｉｄｅｏディスクを予め定めた低速で回転させ、前記パラメータが前記ＤＶＤ−Ｖｉｄｅｏに記録のＤＶＤ−Ｖｉｄｅｏ情報をデータ用として前記ホストコンピュータに転送するパラメータであるときは、前記マイクロプロセッサは前記再生速度制御部に指示して前記ＤＶＤ−Ｖｉｄｅｏディスクを予め定めた高速で回転させることを特徴とする情報記録光ディスク再生装置。
【請求項５】
装着した情報記録光ディスクからの読み出し情報をデコーダがエラー訂正できなかった場合で、前記情報記録光ディスクがＤＶＤ−Ｖｉｄｅｏであることをマイクロプロセッサが判定した後、ホストコンピュータからの情報読み出しコマンドのパラメータを前記マイクロプロセッサで判定し、該パラメータが前記読み出し情報にエラーがあっても前記ホストコンピュータに転送するパラメータであるときは、前記マイクロプロセッサは前記デコーダに指示して前記エラー訂正できなかった前記読み出し情報を前記ホストコンピュータに転送し、該パラメータが前記読み出し情報にエラーがあったときに前記ホストコンピュータに転送不可のパラメータであるときは、前記マイクロプロセッサは前記デコーダに指示して前記エラー訂正できなかった前記読み出し情報を前記ホストコンピュータに転送しないことを特徴とする情報記録光ディスク再生装置。
【請求項６】
請求項４記載の情報記録光ディスク再生装置で前記ＤＶＤ−Ｖｉｄｅｏディスクを回転させ、前記情報記録光ディスクに記録されている情報を前記マイクロプロセッサの指示により情報記録光ディスク読出装置で読み出し、読み出した情報のうちのＤＶＤ−Ｖｉｄｅｏ情報をデコーダでエラー検出およびエラー訂正を行い、前記デコーダでエラー訂正できたか否かを前記マイクロプロセッサで判定し、次に請求項５記載の情報記録光ディスク再生装置でエラーできなかった前記ＤＶＤ−Ｖｉｄｅｏ情報の前記ホストコンピュータへの処理をすることを特徴とする情報記録光ディスク再生装置。
【発明の詳細な説明】
【技術分野】
【０００１】
本発明は情報記録光ディスクを再生することができる情報記録光ディスク再生装置の制御方法および情報記録光ディスク再生装置に係わり、特にＤＶＤ−Ｖｉｄｅｏディスクの再生技術に関する。
【背景技術】
【０００２】
従来の技術として、情報記録光ディスクに記録のコンテンツの種類を判断し、情報記録光ディスクが映像などの情報を長時間記録したＤＶＤ−Ｖｉｄｅｏディスクの場合には、ＤＶＤ−Ｖｉｄｅｏディスクを回転させる速度を下げて低速で回転させることにより、不必要な消費電力の増大やＤＶＤ−Ｖｉｄｅｏディスクの回転に伴う騒音を抑えることがすでに行われている（例えば特許文献１参照）。
【０００３】
【特許文献１】特開２００１−３５７６０１号公報
【発明の開示】
【発明が解決しようとする課題】
【０００４】
しかしながら、この場合、ＤＶＤ−Ｖｉｄｅｏディスクに記録のＤＶＤ−Ｖｉｄｅｏ情報を、映像用として再生処理するのではなく、ホストコンピュータからの要求で単純にデータ用として再生処理した場合があるが、この場合については何ら考慮されていない。
【０００５】
したがって、単純にデータ用として再生処理した場合でも、ＤＶＤ−Ｖｉｄｅｏディスクを回転させる速度を下げて低速で回転することとなるため、ＤＶＤ−Ｖｉｄｅｏディスクに記録の情報を読み出すのに時間を必要とする。
【０００６】
また、ＤＶＤ−Ｖｉｄｅｏディスクから読み出したＤＶＤ−Ｖｉｄｅｏ情報を、ホストコンピュータに転送する際、ホストコンピュータからの要求に応じた適切な再生処理をすることが望まれる。
【０００７】
本発明の目的は、ホストコンピュータからの要求に応じてＤＶＤ−Ｖｉｄｅｏディスクの回転速度を制御する情報記録光ディスク再生装置の制御方法および情報記録光ディスク再生装置を提供することにある。
【０００８】
また本発明の他の目的は、ホストコンピュータからの要求に応じた適切な再生処理をする情報記録光ディスク再生装置の制御方法および情報記録光ディスク再生装置を提供することにある。
【課題を解決するための手段】
【０００９】
本発明による請求項１記載の情報記録光ディスク再生装置の制御方法は、装着した情報記録光ディスクがＤＶＤ−Ｖｉｄｅｏディスクの場合、ホストコンピュータからの情報読み出しコマンドのパラメータに基づき、該パラメータが前記ＤＶＤ−Ｖｉｄｅｏディスクに記録のＤＶＤ−Ｖｉｄｅｏ情報を映像用として前記ホストコンピュータに転送するパラメータであるときは、前記ＤＶＤ−Ｖｉｄｅｏディスクを予め定めた低速で回転させ、前記パラメータが前記ＤＶＤ−Ｖｉｄｅｏディスクに記録のＤＶＤ−Ｖｉｄｅｏ情報をデータ用として前記ホストコンピュータに転送するパラメータであるときは、前記ＤＶＤ−Ｖｉｄｅｏディスクを予め定めた高速で回転させることを特徴とする。
【００１０】
本発明による請求項２記載の情報記録光ディスク再生装置の制御方法は、装着した情報記録光ディスクからの読み出し情報をエラー訂正できなかった場合で、前記情報記録光ディスクがＤＶＤ−Ｖｉｄｅｏディスクの場合、ホストコンピュータからの情報読み出しコマンドのパラメータに基づき、該パラメータが前記読み出し情報にエラーがあっても前記ホストコンピュータに転送するパラメータであるときは、前記エラー訂正できなかった前記読み出し情報を前記ホストコンピュータに転送し、該パラメータが前記読み出し情報にエラーがあったときに前記ホストコンピュータに転送不可のパラメータであるときは、前記エラー訂正できなかった前記読み出し情報を前記ホストコンピュータに転送しないことを特徴とする。
【００１１】
本発明による請求項３記載の情報記録光ディスク再生装置の制御方法は、請求項１記載の情報記録光ディスク再生装置の制御方法で前記ＤＶＤ−Ｖｉｄｅｏディスクを回転させ、前記情報記録光ディスクに記録されている情報を読み出し、読み出した情報のうちのＤＶＤ−Ｖｉｄｅｏ情報をエラー検出およびエラー訂正を行い、エラー訂正できたか否かを判定し、次に請求項２記載の情報記録光ディスク再生装置の制御方法でエラーできなかった前記ＤＶＤ−Ｖｉｄｅｏ情報の前記ホストコンピュータへの処理をすることを特徴とする。
【００１２】
本発明による請求項４記載の情報記録光ディスク再生装置は、装着した情報記録光ディスクがＤＶＤ−Ｖｉｄｅｏディスクであることをマイクロプロセッサが判定した後、ホストコンピュータからの情報読み出しコマンドのパラメータを前記マイクロプロセッサで判定し、該パラメータが前記ＤＶＤ−Ｖｉｄｅｏディスクに記録のＤＶＤ−Ｖｉｄｅｏ情報を映像用として前記ホストコンピュータに転送するパラメータであるときは、前記マイクロプロセッサは再生速度制御部に指示して前記ＤＶＤ−Ｖｉｄｅｏディスクを予め定めた低速で回転させ、前記パラメータが前記ＤＶＤ−Ｖｉｄｅｏに記録のＤＶＤ−Ｖｉｄｅｏ情報をデータ用として前記ホストコンピュータに転送するパラメータであるときは、前記マイクロプロセッサは前記再生速度制御部に指示して前記ＤＶＤ−Ｖｉｄｅｏディスクを予め定めた高速で回転させることを特徴とする。
【００１３】
本発明による請求項５記載の情報記録光ディスク再生装置は、装着した情報記録光ディスクからの読み出し情報をデコーダがエラー訂正できなかった場合で、前記情報記録光ディスクがＤＶＤ−Ｖｉｄｅｏであることをマイクロプロセッサが判定した後、ホストコンピュータからの情報読み出しコマンドのパラメータを前記マイクロプロセッサで判定し、該パラメータが前記読み出し情報にエラーがあっても前記ホストコンピュータに転送するパラメータであるときは、前記マイクロプロセッサは前記デコーダに指示して前記エラー訂正できなかった前記読み出し情報を前記ホストコンピュータに転送し、該パラメータが前記読み出し情報にエラーがあったときに前記ホストコンピュータに転送不可のパラメータであるときは、前記マイクロプロセッサは前記デコーダに指示して前記エラー訂正できなかった前記読み出し情報を前記ホストコンピュータに転送しないことを特徴とする。
【００１４】
本発明による請求項６記載の情報記録光ディスク再生装置は、請求項４記載の情報記録光ディスク再生装置で前記ＤＶＤ−Ｖｉｄｅｏディスクを回転させ、前記情報記録光ディスクに記録されている情報を前記マイクロプロセッサの指示により情報記録光ディスク読出装置で読み出し、読み出した情報のうちのＤＶＤ−Ｖｉｄｅｏ情報をデコーダでエラー検出およびエラー訂正を行い、前記デコーダでエラー訂正できたか否かを前記マイクロプロセッサで判定し、次に請求項５記載の情報記録光ディスク再生装置でエラーできなかった前記ＤＶＤ−Ｖｉｄｅｏ情報の前記ホストコンピュータへの処理をすることを特徴とする。
【発明の効果】
【００１５】
本発明によれば、ホストコンピュータからの要求に応じてＤＶＤ−Ｖｉｄｅｏディスクの回転速度を制御する情報記録光ディスク再生装置の制御方法および情報記録光ディスク再生装置を得ることができる。また本発明によれば、ホストコンピュータからの要求に応じた適切な再生処理をする情報記録光ディスク再生装置の制御方法および情報記録光ディスク再生装置を得ることができる。
【発明を実施するための最良の形態】
【００１６】
本発明に係る実施の形態について、以下、図を用いて説明する。
【００１７】
図１は、本発明に係る情報記録光ディスク再生装置の制御方法を有する情報記録光ディスク再生装置の実施の形態の構成図である。図１において、１０１は情報記録光ディスク、１０２はＤＶＤ−ＲＯＭドライバ、１０３はホストコンピュータである。
【００１８】
ホストコンピュータ１０３からの情報読み出しコマンドのパラメータに基づき、ＤＶＤ−ＲＯＭドライバ１０２は、情報記録光ディスク１０１をパラメータに基づいた速度で回転させたり、装着した情報記録光ディスクからの読み出し情報をエラー訂正できなかった場合のホストコンピュータ１０３への対応処理をする。
【００１９】
ＤＶＤ−ＲＯＭドライバ１０２は、情報記録光ディスク１０１をパラメータに基づいた速度で回転させる再生速度制御部１０４と、情報記録光ディスク１０１に記録の情報を読み出す情報記録光ディスク読出装置１０５と、読み出した情報のエラー検出，エラー訂正するデコーダ１０６と、エラー訂正した情報を記憶するバッファ１０７を有する。
【００２０】
またＤＶＤ−ＲＯＭドライバ１０２は、再生速度制御部１０４と情報記録光ディスク読出装置１０５とデコーダ１０６を制御するマイクロプロセッサ１０８と、図２のフローチャートを記憶のＲＯＭ１０９と、装着した情報記録光ディスク１０１からの読み出し情報を記憶したり、ホストコンピュータからの情報読み出しコマンドを記憶するＲＡＭ１１０を有する。
【００２１】
図２は、本発明に係る情報記録光ディスク再生装置の制御方法を有する情報記録光ディスク再生装置の実施の形態の動作を示すフローチャートである。このフローチャートは図１のＲＯＭ１０９に記憶してある。
【００２２】
このフローチャートを実行する前に、マイクロプロセッサ１０８は再生速度制御部１０４に指示してＤＶＤ−Ｖｉｄｅｏディスク１０１を予め定めた所定速度で回転させ、情報記録光ディスク１０１に記録の情報をマイクロプロセッサ１０８の指示により情報記録光ディスク読出装置１０５で読み出し、読み出した情報のうちの光ディスク種類情報をＲＡＭ１１０に記憶しておく。
【００２３】
またその光ディスク種類情報をマイクロプロセッサ１０８で判定して、情報記録光ディスク１０１がＤＶＤであった場合、マイクロプロセッサ１０８は再生速度制御部１０４に、情報記録光ディスク１０１を標準速度の例えば８倍の高速で回転させるよう指示し、それに基づき再生速度制御部１０４は情報記録光ディスク１０１を例えば８倍の高速で回転させる。
【００２４】
図２のフローチャートは、ホストコンピュータ１０３がＤＶＤ−ＲＯＭドライバ１０２に、情報記録光ディスク１０１に記録の情報を読み出してホストコンピュータ１０３に転送するよう、情報読み出しコマンドを入力することにより、マイクロプロセッサ１０８がＲＯＭ１０９に記憶しているこのフローチャートをスタートさせる。入力された情報読み出しコマンドはＲＡＭ１１０に記憶される。
【００２５】
ステップ２０１では、装着した情報記録ディスク１０１がＤＶＤ−Ｖｉｄｅｏディスクか否かを、マイクロプロセッサ１０８が、ＲＡＭ１１０に記憶している光ディスク種類情報をみて判定する。判定は例えばＶＩＤＥＯ ＴＳフォルダの有無で可能である。
【００２６】
ＤＶＤ−Ｖｉｄｅｏディスクでない場合はステップ２０３に進み、ＤＶＤ−Ｖｉｄｅｏディスクの場合にはステップ２０２へ進む。
【００２７】
ステップ２０３では、マイクロプロセッサ１０８が再生速度制御部１０４に指示して記ＤＶＤ−Ｖｉｄｅｏディスク１０１を予め定めた高速、例えば情報記録光ディスク再生装置で設定可能な最高の回転速度で回転させる処理を行う。既に高速で回転している場合には指示を行わないことも可能である。
【００２８】
ステップ２０５では、ＲＡＭ１１０内の、リード（読出し）エラー発生時の回数を数えるカウンタを初期化する。
【００２９】
ステップ２０２では、ＲＡＭ１１０に記憶している、ホストコンピュータ１０３からの情報読み出しコマンドの中の streaming bit が１か否かを判定する。
【００３０】
この場合１はＤＶＤ−Ｖｉｄｅｏディスクに記録のＤＶＤ−Ｖｉｄｅｏ情報を映像用としてホストコンピュータに転送するパラメータであり、０はＤＶＤ−Ｖｉｄｅｏディスクに記録のＤＶＤ−Ｖｉｄｅｏ情報をデータ用として前記ホストコンピュータに転送するパラメータであることを意味する。
【００３１】
０の場合はステップ２０３へ進み、１の場合はステップ２０４に進む。
【００３２】
ステップ２０４では、マイクロプロセッサ１０８が再生速度制御部１０４に指示して記ＤＶＤ−Ｖｉｄｅｏディスク１０１を予め定めた低速、例えば情報記録光ディスク再生装置で設定可能な最低の標準速度で回転させる処理を行う。既に低速で回転している場合には指示を行わないことも可能である。
【００３３】
ステップ２０６では、情報記録光ディスク１０１に記録されている情報をマイクロプロセッサ１０８の指示により情報記録光ディスク読出装置１０５で読み出し、読み出した情報のうちのＤＶＤ−Ｖｉｄｅｏ情報（以下単にデータという）をリードすなわち読み出し、読み出したデータをデコーダ１０６でエラー検出およびエラー訂正を行い、バッファ１０７に格納する。
【００３４】
ステップ２０７では、ステップ２０６においてエラー訂正できたか否かを、マイクロプロセッサ１０８がデコーダ１０６のレジスタをみることにより判定する。
【００３５】
ステップ２０７でエラー訂正ができた場合はステップ２１２に進み、ステップ２１２では、マイクロプロセッサ１０８はデコーダ１０６に指示してエラー訂正できたデータをホストコンピュータ１０３（図１）に転送させる。
【００３６】
ステップ２０７でエラー訂正できなかった場合はステップ２０８に進み、ステップ２０８では、装着した情報記録光ディスク１０１がＤＶＤ−Ｖｉｄｅｏディスクであるか否かを、マイクロプロセッサ１０８が、ＲＡＭ１１０に記憶している光ディスク種類情報をみて判定する。
【００３７】
ＤＶＤ−Ｖｉｄｅｏディスクでない場合はステップ２１０に進み、ＤＶＤ−Ｖｉｄｅｏディスクの場合にはステップ２０９へ進む。
【００３８】
ステップ２０９では、ＲＡＭ１１０に記憶している、ホストコンピュータ１０３からの情報読み出しコマンドの中のパラメータである streaming bit が１か否かを判定する。
【００３９】
この場合１はデータにエラーがあってもホストコンピュータ（図１）に転送するパラメータであり、０はデータにエラーがあったときにホストコンピュータに転送不可のパラメータであることを意味する。
【００４０】
０の場合はステップ２１０へ進み、１の場合はステップ２１２に進む。
【００４１】
ステップ２１２では、マイクロプロセッサ１０８がデコーダ１０６に指示してエラー訂正できなかったデータをホストコンピュータ１０３に転送する。
【００４２】
ステップ２１０では、マイクロプロセッサ１０８がステップ２０５で初期化したエラーカウンタをインクリメントする。
【００４３】
次のステップ２１１では、マイクロプロセッサ１０８はエラーカウントが一定の閾値か否かの判定を行う。図では例として閾値を１０としている。エラーカウンタが閾値以下の場合は再度ステップ２０６に進み、データのリードを行う。
【００４４】
エラーカウンタが閾値より大きい場合にはステップ２１３に進み、ステップ２１３では、マイクロプロセッサ１０８がデコーダ１０６に指示してエラー訂正できなかったデータをホストコンピュータ１０３に転送しないで、代わりにエラーが多くてデータが読み出せなかったことをホストコンピュータ１０３に通知する。
【００４５】
本実施の形態によれば、ホストコンピュータから、ＤＶＤ−Ｖｉｄｅｏディスクに記録のＤＶＤ−Ｖｉｄｅｏ情報を映像用として転送するように指示があった場合は、ＤＶＤ−Ｖｉｄｅｏディスクの回転速度を低速にし、ＤＶＤ−Ｖｉｄｅｏディスクに記録のＤＶＤ−Ｖｉｄｅｏ情報をデータ用として転送するように指示があった場合は、ＤＶＤ−Ｖｉｄｅｏディスクの回転速度を高速に制御することができる。
【００４６】
したがって、本実施の形態によれば、ホストコンピュータからの要求に応じてＤＶＤ−Ｖｉｄｅｏディスクの回転速度を制御する情報記録光ディスク再生装置の制御方法および情報記録光ディスク再生装置を得ることができる。
【００４７】
本実施の形態によれば、ホストコンピュータから、読み出し情報にエラーがあっても転送するように指示があった場合は、エラー訂正できなかった読み出し情報を転送し、読み出し情報にエラーがあったときに前記ホストコンピュータに転送不可の指示があった場合は、エラー訂正できなかった読み出し情報を転送しないようにすることができる。
【００４８】
したがって、本実施の形態によれば、ホストコンピュータからの要求に応じた適切な再生処理をする情報記録光ディスク再生装置の制御方法および情報記録光ディスク再生装置を得ることができる。
【図面の簡単な説明】
【００４９】
【図１】本発明に係る情報記録光ディスク再生装置の制御方法を有する情報記録光ディスク再生装置の実施の形態の構成図である。
【図２】本発明に係る情報記録光ディスク再生装置の制御方法を有する情報記録光ディスク再生装置の実施の形態の動作を示すフローチャートである。
【符号の説明】
【００５０】
１０１…情報記録光ディスク、１０２…ＤＶＤ−ＲＯＭドライバ、１０３…ホストコンピュータ、１０４…再生速度制御部、１０５…情報記録光ディスク読出装置、１０６…デコーダ、１０７…バッファ、１０８…マイクロプロセッサ、１０９…ＲＯＭ、１１０…ＲＡＭ。
【図１】
2005149686.tif 000003
【図２】
2005149686.tif 000004